(57)【要約】      （修正有）【課題】伸縮可能なミニ粘着式クリーナーを提供する。【解決手段】伸縮可能なミニ粘着式クリーナーは外筒６を含み、外筒の一端には、インナーコア２が設けられ、インナーコアの一端には、接続継手４が設けられ、且つ接続継手の一端は、係合により外筒の内部に固定接続され、インナーコアと接続継手は一体式構造であり、接続継手の内部には、係合歯５が設けられ、係合歯の一端には、フック部１２が設けられ、且つ係合歯とフック部は一体式構造であり、インナーコアの他端には、キャップ１が螺合により固定され、インナーコアの外表面には、紙テープ３が設けられ、外筒の他端には、台座１０が設けられ、且つ外筒と台座は一体式構造であり、外筒の内部には、バネ８が設けられ、バネの内側には、中間固定棒７が設けられ、且つ中間固定棒の一端は、係合により台座の内側に固定され、バネの押圧及び係合歯１１と内歯９との係合により、粘着式クリーナーが、使用過程において、より便利であり、且つ携帯しやすい。【選択図】図１
0003215652.tif 000002
【実用新案登録請求の範囲】
【請求項１】
外筒（６）を含む伸縮可能なミニ粘着式クリーナーであって、
前記外筒（６）の一端には、インナーコア（２）が設けられ、前記インナーコア（２）の一端には、接続継手（４）が設けられ、且つ接続継手（４）の一端は、係合により外筒（６）の内部に固定接続され、前記インナーコア（２）と接続継手（４）は一体式構造であり、前記接続継手（４）の内部には、係合歯（５）が設けられ、前記係合歯（５）の一端には、フック部（１２）が設けられ、且つ係合歯（５）とフック部（１２）は一体式構造であり、前記インナーコア（２）の他端には、キャップ（１）が螺合により固定され、前記インナーコア（２）の外表面には、紙テープ（３）が設けられ、前記外筒（６）の他端には、台座（１０）が設けられ、且つ外筒（６）と台座（１０）は一体式構造であり、前記外筒（６）の内部には、バネ（８）が設けられ、前記バネ（８）の内側には、中間固定棒（７）が設けられ、且つ中間固定棒（７）の一端は、係合により台座（１０）の内側に固定され、前記中間固定棒（７）の一端は、内歯（９）が貫通して設けられ、前記内歯（９）の一端には、係合溝（１１）が設けられ、係合溝（１１）と内歯（９）は一体式構造である、ことを特徴とする伸縮可能なミニ粘着式クリーナー。
【請求項２】
前記接続継手（４）が円錐面構造であることを特徴とする請求項１に記載の伸縮可能なミニ粘着式クリーナー。
【請求項３】
前記外筒（６）が中空円柱構造であることを特徴とする請求項１に記載の伸縮可能なミニ粘着式クリーナー。
【請求項４】
前記インナーコア（２）とキャップ（１）との接続位置の外表面には、ねじ山が設けられ、且つキャップ（１）は、螺合によりインナーコア（２）に接続されることを特徴とする請求項１に記載の伸縮可能なミニ粘着式クリーナー。
【請求項５】
前記インナーコア（２）が弾き出され後、接続継手（４）と外筒（６）の内壁は、緊密に閉合されることを特徴とする請求項１に記載の伸縮可能なミニ粘着式クリーナー。
【考案の詳細な説明】
【技術分野】
【０００１】
本考案は、粘着式クリーナー技術分野に関し、特に伸縮可能なミニ粘着式クリーナーに関する。
【背景技術】
【０００２】
テープは、基材及び接着剤からなり、接着により、二つまたは複数の接続されていない物体を接続するようにする。その表面には、粘着剤が塗布される。最初の粘着剤は、動物と植物に由来し、十九世紀には、ゴムが粘着剤の主成分になっていたが、現代には、ポリマーが広範に応用されている。粘着剤は、物を粘着することができ、自身の分子と接続しようとする物品の分子間に結合を形成し、このような結合により分子を安定にボンディングすることができる。 粘着剤の成分は、メーカ、種類によって異なり、異なるポリマーを有する。
【０００３】
従来の粘着式クリーナーは、使用の際に有効に伸縮できず、且つテープを使用しない時に、テープを有効に保護することができず、且つ従来の粘着式クリーナーの体積が大きすぎて保管時に多くの空間を占め、保管の不便さがある。従って、伸縮可能なミニ粘着式クリーナーを提供する必要があった。
【考案の概要】
【考案が解決しようとする課題】
【０００４】
本考案は、上記の従来技術の問題を解決する伸縮可能なミニ粘着式クリーナーを提供することを目的とする。
【課題を解決するための手段】
【０００５】
上記の目的を達成するために、本考案の伸縮可能なミニ粘着式クリーナーは、外筒を含み、前記外筒（６）の一端には、インナーコア（２）が設けられ、前記インナーコア（２）の一端には、接続継手（４）が設けられ、且つ接続継手（４）の一端は、係合により外筒（６）の内部に固定接続され、前記インナーコア（２）と接続継手（４）は一体式構造であり、前記接続継手（４）の内部には、係合歯（５）が設けられ、前記係合歯（５）の一端には、フック部（１２）が設けられ、且つ係合歯（５）とフック部（１２）は一体式構造であり、前記インナーコア（２）の他端には、キャップ（１）が螺合により固定され、前記インナーコア（２）の外表面には、紙テープ（３）が設けられ、前記外筒（６）の他端には、台座（１０）が設けられ、且つ外筒（６）と台座（１０）は一体式構造であり、前記外筒（６）の内部には、バネ（８）が設けられ、前記バネ（８）の内側には、中間固定棒（７）が設けられ、且つ中間固定棒（７）の一端は、係合により台座（１０）の内側に固定され、前記中間固定棒（７）の一端は、内歯（９）が貫通して設けられ、前記内歯（９）の一端には、係合溝（１１）が設けられ、且つ係合溝（１１）と内歯（９）は一体式構造である。
【０００６】
好ましくは、前記接続継手が円錐面構造である。 
【０００７】
好ましくは、前記外筒が中空円柱構造である。 
【０００８】
好ましくは、前記インナーコア（２）とキャップ（１）との接続位置の外表面には、ねじ山が設けられ、且つキャップ（１）は、螺合によりインナーコア（２）に接続される。
【０００９】
好ましくは、前記インナーコア（２）が弾き出された後、接続継手（４）と外筒（６）の内壁は、緊密は緊密に閉合される。 
【考案の効果】
【００１０】
従来技術に比べると、本考案は、インナーコアと外筒との間を係合歯により係合することで、粘着式クリーナーを使用しない時に、紙テープが外筒の内部に収まり、粘着式クリーナーの使用空間を減少させ、粘着式クリーナーの占用面積を大幅に減少させ、粘着式クリーナーの保管が便利になるとともに、粘着式クリーナー体積を減少させ、バネの押圧及び係合歯と内歯との係合により、粘着式クリーナーの使用過程でより便利になり、携帯しやすくなる。
【図面の簡単な説明】
【００１１】
【図１】本考案の断面構成を示す図である。
【図２】本考案の部分拡大図である。
【考案を実施するための形態】
【００１２】
以下、図面を参照しながら本考案に対して明確且つ分かりやすく説明するが、説明する実施例は、本考案の一部の実施例に過ぎず、全部の実施例ではないことは理解されるべきである。本考案の実施例に基づいた当業者の様々な変更により得られた他の全ての実施例は、本発明の保護範囲に属されるべきである。
【００１３】
図１及び図２を参照すると、本考案は、伸縮可能なミニ粘着式クリーナーを提供し、前記伸縮可能なミニ粘着式クリーナーは、外筒６を含み、外筒６の一端には、インナーコア２が設けられ、インナーコア２の一端には、接続継手４が設けられ、且つ接続継手４の一端は、係合により外筒６の内部に固定接続され、インナーコア２と接続継手４は、一体式構造であり、接続継手４の内部には、係合歯５が設けられ、係合歯５の一端には、フック部１２が設けられ、且つ係合歯５とフック部１２は一体式構造であり、インナーコア２の他端には、螺合固定によりキャップ１が設けられ、インナーコア２の外表面には、紙テープ３が設けられ、外筒６の他端には、台座１０が設けられ、且つ外筒６と台座１０は一体式構造であり、外筒６の内部には、バネ８が設けられ、バネ８の内側には、中間固定棒７が設けられ、且つ中間固定棒７の一端は、係合により台座１０の内側に固定され、中間固定棒７の一端には、内歯９が貫通して設けられ、内歯９の一端には、係合溝１１が設けられ、且つ係合溝１１と内歯９は一体式構造である。
【００１４】
インナーコア２が外筒６から弾き出された後、接続継手４と外筒６の円錐面が組み合わせ、インナーコア２を弾き出させて外筒６内壁と緊密に組み合わせるために、本実施例において、好ましくは、接続継手４が円錐面構造である。
【００１５】
使用の面から、本実施例において、好ましくは、外筒６が中空円柱構造である。
【００１６】
紙テープ３の交換の面から、本実施例において、好ましくは、インナーコア２とキャップ１と接続位置の外表面には、ねじ山が設けられ、且つキャップ１は、螺合によりインナーコア２に接続される。
【００１７】
接続継手４と外筒６との間に隙間がないように、本実施例において、好ましくは、インナーコア２が弾き出された後、接続継手４と外筒６の内壁が緊密に閉合する。
本考案の作動原理及び使用流れは以下のようになる。本考案を取り付けると使用することができ、使用の際に、手でキャップ１を押して外筒の奥に押圧し、インナーコア２からの圧力が内歯９に作用するため、内歯９が一方向に回転し、係合歯５におけるフック部１２と係合溝１１とが内歯９の底部に係合する。キャップ１を更に押圧して内歯９が再び所定の方向に回転し、係合歯５におけるフック部は、内歯９の回転により係合溝１１から脱離し、インナーコア２全体は、バネ８の作用により外筒６から弾き出され、インナーコア２が外筒６から弾き出され後、インナーコア２の外壁の円錐面と外筒の一円錐面が組み合わせ、インナーコア２が弾き出されて外筒６の内壁に緊密に組み合わせられ、隙間がないように、伸縮過程を完成する。紙テープ３は、主な消耗品であり、突き出た後に紙テープ３を使用して、汚れを掃除し、使用完了後には、縮んで収め、紙テープ３を交換する時には、キャップを引き抜き、新しい紙テープ３に交換し、キャップ１を被せる。
【００１８】
本発明の実施例を開示したが、当業者であれば、様々な変更及び修飾を加えることができるため、本発明の保護範囲は、実用新案登録請求の範囲の範囲に基づくものである。
【符号の説明】
【００１９】
１  キャップ
２  インナーコア
３  紙テープ
４  接続継手
５  係合歯
６  外筒
７  中間固定棒
８  バネ
９  内歯
１０  台座
１１  係合溝
１２  フック部
【図１】
0003215652.tif 000003
【図２】
0003215652.tif 000004